(57)【要約】【課題】使用前後の回転操作量を抑えつつ繰出し量を細かく調整することができる繰出し容器を提供する。【解決手段】外筒２と、操作部２０を備える回転部３と、内筒４と、内筒４の回転を阻止した状態で内筒４の昇降を許容する内筒案内部１３と、固形内容物７を保持する保持部５と、保持部５の回転を阻止した状態で保持部５の昇降を許容する保持部案内部１５と、回転部３と保持部５をねじ結合させる保持部ねじ結合部１６と、回転部３と内筒４をねじ結合させる内筒ねじ結合部１４とを有し、操作部２０が周方向一方側に回転操作されるときに、内筒４が内筒ねじ結合部１４において下方に螺脱して空回りする一方、保持部ねじ結合部１６の螺合が維持され、操作部２０が周方向他方側に回転操作されるときに、内筒４が内筒ねじ結合部１４において上方に螺脱して空回りする一方、保持部ねじ結合部１６の螺合が維持され、内筒ねじ結合部１４において下方に螺脱した内筒４を上方に付勢する付勢部６をさらに有することを特徴とする繰出し容器１。【選択図】図１
2020192167.tif 000002
【特許請求の範囲】
【請求項１】
外筒と、該外筒に回転可能に保持されるとともに操作部を備える回転部と、内筒と、前記外筒に対する前記内筒の回転を阻止した状態で前記外筒に対する前記内筒の昇降を許容する内筒案内部と、固形内容物を保持する保持部と、前記外筒に対する前記保持部の回転を阻止した状態で前記外筒に対する前記保持部の昇降を許容する保持部案内部と、前記回転部と前記保持部をねじ結合させる保持部ねじ結合部と、前記回転部と前記内筒を前記保持部ねじ結合部に対する逆ねじによりねじ結合させる内筒ねじ結合部とを有し、
前記操作部が周方向一方側に回転操作されるときに、前記内筒が前記内筒ねじ結合部において下方に螺脱して空回りする一方、前記保持部ねじ結合部の螺合が維持され、
前記操作部が周方向他方側に回転操作されるときに、前記内筒が前記内筒ねじ結合部において上方に螺脱して空回りする一方、前記保持部ねじ結合部の螺合が維持され、
前記内筒ねじ結合部において下方に螺脱した前記内筒を上方に付勢する付勢部をさらに有することを特徴とする繰出し容器。
【請求項２】
前記付勢部が、前記内筒ねじ結合部において上方に螺脱した前記内筒を下方に付勢する、請求項１に記載の繰出し容器。
【請求項３】
前記付勢部が、前記回転部に保持される下部保持筒と、前記内筒に保持される上部保持筒と、前記下部保持筒と前記上部保持筒を連結するとともに上下方向に弾性的に伸縮可能なばねとを有する付勢部材で構成される、請求項２に記載の繰出し容器。
【請求項４】
前記内筒ねじ結合部のリードが、前記保持部ねじ結合部のリードよりも大きい、１〜３の何れか１項に記載の繰出し容器。
【請求項５】
前記外筒の内周面には上下方向に延在する縦溝が設けられ、
前記保持部には前記縦溝内まで径方向外側に突出する突出部が設けられ、
前記内筒には前記突出部を通すスリットが設けられ、
前記縦溝と前記突出部によって前記保持部案内部が構成され、
前記縦溝、前記突出部及び前記スリットによって前記内筒案内部が構成される、請求項１〜４の何れか１項に記載の繰出し容器。
【発明の詳細な説明】
【技術分野】
【０００１】
本発明は、固形内容物のための繰出し容器に関する。
【背景技術】
【０００２】
例えば口紅、リップクリーム、スティックアイシャドー等の化粧料、薬剤または糊などの、塗布対象物に塗布可能な固形内容物を収容する容器として、筒体と、操作部を備える回転部と、固形内容物を保持する保持部と、筒体に対する保持部の回転を阻止した状態で筒体に対する保持部の昇降を許容する案内部と、回転部と保持部をねじ結合させるねじ結合部とを有し、操作部への回転操作により、ねじ結合部と保持部を介して固形内容物を筒体の上端から繰出すことができる繰出し容器が知られている（例えば特許文献１参照）。
【先行技術文献】
【特許文献】
【０００３】
【特許文献１】特開２０１８−１５４１７号公報
【発明の概要】
【発明が解決しようとする課題】
【０００４】
ところで、繰出し容器は、固形内容物の繰出し量を細かく調整できることが望ましい。そこで、ねじ結合部のリードを小さく設定することが考えられるが、その場合には、繰出し量を細かく調整することはできるものの、使用前後の回転操作量が多くなってしまうという問題点がある。
【０００５】
本発明は、このような問題点を解決することを課題とするものであり、その目的は、使用前後の回転操作量を抑えつつ繰出し量を細かく調整することができる繰出し容器を提供することにある。
【課題を解決するための手段】
【０００６】
本発明の繰出し容器は、外筒と、該外筒に回転可能に保持されるとともに操作部を備える回転部と、内筒と、前記外筒に対する前記内筒の回転を阻止した状態で前記外筒に対する前記内筒の昇降を許容する内筒案内部と、固形内容物を保持する保持部と、前記外筒に対する前記保持部の回転を阻止した状態で前記外筒に対する前記保持部の昇降を許容する保持部案内部と、前記回転部と前記保持部をねじ結合させる保持部ねじ結合部と、前記回転部と前記内筒を前記保持部ねじ結合部に対する逆ねじによりねじ結合させる内筒ねじ結合部とを有し、前記操作部が周方向一方側に回転操作されるときに、前記内筒が前記内筒ねじ結合部において下方に螺脱して空回りする一方、前記保持部ねじ結合部の螺合が維持され、前記操作部が周方向他方側に回転操作されるときに、前記内筒が前記内筒ねじ結合部において上方に螺脱して空回りする一方、前記保持部ねじ結合部の螺合が維持され、前記内筒ねじ結合部において下方に螺脱した前記内筒を上方に付勢する付勢部をさらに有することを特徴とする。
【０００７】
本発明の繰出し容器は、上記構成において、前記付勢部が、前記内筒ねじ結合部において上方に螺脱した前記内筒を下方に付勢するのが好ましい。
【０００８】
本発明の繰出し容器は、上記構成において、前記付勢部が、前記回転部に保持される下部保持筒と、前記内筒に保持される上部保持筒と、前記下部保持筒と前記上部保持筒を連結するとともに上下方向に弾性的に伸縮可能なばねとを有する付勢部材で構成されるのが好ましい。
【０００９】
本発明の繰出し容器は、上記構成において、前記内筒ねじ結合部のリードが、前記保持部ねじ結合部のリードよりも大きいのが好ましい。
【００１０】
本発明の繰出し容器は、上記構成において、前記外筒の内周面には上下方向に延在する縦溝が設けられ、前記保持部には前記縦溝内まで径方向外側に突出する突出部が設けられ、前記内筒には前記突出部を通すスリットが設けられ、前記縦溝と前記突出部によって前記保持部案内部が構成され、前記縦溝、前記突出部及び前記スリットによって前記内筒案内部が構成されるのが好ましい。
【発明の効果】
【００１１】
本発明によれば、使用前後の回転操作量を抑えつつ繰出し量を細かく調整することができる繰出し容器を提供することができる。
【図面の簡単な説明】
【００１２】
【図１】本発明の一実施の形態に係る繰出し容器を固形内容物を繰出す前の状態で示す半断面図である。
【図２】図１に示す繰出し容器の外筒を示す図であり、（ａ）は半断面図、（ｂ）は底面図である。
【図３】図１に示す繰出し容器の内筒を示す図であり、（ａ）は半断面図、（ｂ）は底面図である。
【図４】図１に示す繰出し容器の作動部材を示す図であり、（ａ）は半断面図、（ｂ）は底面図である。
【図５】図１に示す繰出し容器の軸部材を示す図であり、（ａ）は上面図、（ｂ）は半断面図である。
【図６】図１に示す繰出し容器のばね部材を示す側面図である。
【図７】図１に示す状態からキャップを取外し、操作部を繰出し方向に回転操作して内筒を空回りするまで下降させたときの状態を示す半断面図である。
【図８】図７に示す状態からさらに操作部を繰出し方向に回転操作したときの状態を示す半断面図である。
【図９】図１に示す繰出し容器を固形内容物を繰出した後に操作部を引込み方向に回転操作したときの状態を示す半断面図である。
【図１０】図９に示す状態からさらに操作部を引込み方向に回転操作して内筒を空回りするまで上昇させたときのときの状態を示す半断面図である。
【発明を実施するための形態】
【００１３】
以下、図面を参照しつつ本発明をより具体的に例示説明する。
【００１４】
図１に示すように、本実施形態に係る繰出し容器１は、外筒２、回転部３、内筒４、保持部５、付勢部材（付勢部）６、固形内容物７及びキャップ８を有している。回転部３は、外筒２に回転軸線Ｃを中心として回転可能に保持されており、操作部材９と作動部材１０で構成されている。保持部５は、固形内容物７の下部を保持しており、中皿１１と軸部材１２で構成されている。
【００１５】
なお、本願においては、上下方向とは回転軸線Ｃに沿う方向を意味し、上方とは保持部５から固形内容物７に向かう方向を意味し、下方とはその反対方向を意味し、径方向とは回転軸線Ｃと直交する方向を意味し、周方向とは回転軸線Ｃを周回する方向を意味し、回転とは回転軸線Ｃを中心とする回転を意味する。
【００１６】
また、繰出し容器１は、内筒案内部１３、内筒ねじ結合部１４、保持部案内部１５及び保持部ねじ結合部１６を有している。内筒案内部１３は、外筒２に対する内筒４の回転を阻止した状態で外筒２に対する内筒４の昇降を許容するように構成されており、外筒２の２つの縦溝１７と、軸部材１２の２つの突出部１８と、内筒４の２つのスリット１９とで構成されている。内筒ねじ結合部１４は、回転部３と内筒４を回転軸線Ｃを中心としてねじ結合させるように構成されており、作動部材１０の第１雄ねじ１４ａと内筒４の第１雌ねじ１４ｂで構成されている。保持部案内部１５は、外筒２に対する保持部５の回転を阻止した状態で外筒２に対する保持部５の昇降を許容するように構成されており、外筒２の２つの縦溝１７と軸部材１２の２つの突出部１８で構成されている。保持部ねじ結合部１６は、回転部３と保持部５を回転軸線Ｃを中心としてねじ結合させるように構成されており、作動部材１０の第２雌ねじ１６ａと軸部材１２の第２雄ねじ１６ｂで構成されている。
【００１７】
内筒ねじ結合部１４のリードは、保持部ねじ結合部１６のリードよりも大きく構成されている。なお、内筒ねじ結合部１４のリードを、保持部ねじ結合部１６のリードと同等、或いは保持部ねじ結合部１６のリードよりも小さく構成しても構わない。また、内筒ねじ結合部１４と保持部ねじ結合部１６は、それぞれ、１条ねじ、または２条以上の多条ねじとして構成することができる。
【００１８】
操作部材９の外周面で操作部２０が構成されており、操作部２０を外筒２に対して周方向一方側である右ねじ方向に回転させる回転操作により、固形内容物７を内筒４の内部から繰出すことができる。また、操作部２０を外筒２に対して周方向他方側である左ねじ方向に回転させる回転操作により、固形内容物７を内筒４の内部に引込むことができる。このため、保持部ねじ結合部１６は左ねじで構成される一方、内筒ねじ結合部１４は保持部ねじ結合部１６に対する逆ねじとなる右ねじで構成されている。なお、周方向一方側を繰出し方向ともいい、周方向他方側を引込み方向ともいう。本実施の形態では繰出し方向を右ねじ方向とし、引込み方向を左ねじ方向としているが、繰出し方向を左ねじ方向とし、引込み方向を右ねじ方向とするように構成しても構わない。
【００１９】
内筒ねじ結合部１４と保持部ねじ結合部１６は、操作部２０が繰出し方向に回転操作されるときに、内筒４が内筒ねじ結合部１４において下方に螺脱して空回りする一方、保持部ねじ結合部１６の螺合が維持され、操作部２０が周方向他方側に回転操作されるときに、内筒４が内筒ねじ結合部１４において上方に螺脱して空回りする一方、保持部ねじ結合部１６の螺合が維持されるように構成されている。
【００２０】
図２（ａ）、（ｂ）に示すように、外筒２は、回転軸線Ｃと同心の円筒状をなしている。外筒２の上部は、外周面が段差状に縮径した縮径部２ａとされている。外筒２の内周面には、回転軸線Ｃを挟んだ２箇所にそれぞれ、縮径部２ａ付近と外筒２の下端面の間に亘って上下方向に延在する縦溝１７が設けられている。外筒２の下端には、径方向内側に突出するとともに周方向に延在する内向き凸部２ｂが一体に設けられている。内向き凸部２ｂは、縦溝１７により２箇所が切欠かれた回転軸線Ｃを中心とする円環状をなしている。外筒２の内周面における内向き凸部２ｂの上面と外筒２の上下方向中央付近の間に亘る部分は、その上方の部分よりも拡径した拡径内周面２ｃとされている。
【００２１】
図３（ａ）、（ｂ）に示すように、内筒４は、回転軸線Ｃと同心の円筒状をなしている。内筒４には、回転軸線Ｃを挟んだ２箇所にそれぞれ、上下方向中央付近と下端面の間に亘って上下方向に延在するスリット１９が設けられている。内筒４の外周面における下端には、周方向に延在する周溝４ａが設けられている。周溝４ａは、スリット１９により２箇所が切欠かれた回転軸線Ｃを中心とする円環状をなしている。内筒４の外周面における周溝４ａよりも下方の部分は、周溝４ａよりも上方の部分よりも縮径した縮径外周面４ｂとされている。内筒４の内周面における下端には、第１雌ねじ１４ｂが一体に設けられている。
【００２２】
図４（ａ）、（ｂ）に示すように、作動部材１０は、上部周壁１０ａが段差部１０ｂを介して下部周壁１０ｃよりも縮径した回転軸線Ｃと同心の２段円筒状をなしている。上部周壁１０ａの内周面における上端よりやや下方の位置には、第２雌ねじ１６ａが一体に設けられている。上部周壁１０ａの外周面には、第１雄ねじ１４ａが一体に設けられている。上部周壁１０ａの外周面における下端には、下部周壁１０ｃの上端面との間に周溝１０ｄを形成する周方向に延在する環状凸部１０ｅが一体に設けられている。環状凸部１０ｅの外径は、下部周壁１０ｃの上端面の外径よりも小さくなっている。第１雄ねじ１４ａと環状凸部１０ｅの上下方向の間隔は、第１雌ねじ１４ｂの上下方向幅（ねじ長さ）よりも大きくなっている。下部周壁１０ｃの外周面における上端には、回転軸線Ｃを中心とする円環状の係合溝１０ｆが設けられている。係合溝１０ｆには、図１に示すように、外筒２の内向き凸部２ｂが嵌合しており、それにより、作動部材１０が外筒２に回転可能に保持されている。図４（ａ）、（ｂ）に示すように、下部周壁１０ｃの外周面における係合溝１０ｆよりも下方の部分には、嵌合凸部１０ｇと８つの回止めリブ１０ｈが一体に設けられている。
【００２３】
図１に示すように、操作部材９は回転軸線Ｃを中心とする円板状の底板９ａと、底板９ａの外周縁から上方に延在する円筒状の周壁９ｂを有している。周壁９ｂの内周面に形成された凹凸部に嵌合凸部１０ｇと８つの回止めリブ１０ｈが係合することで、操作部材９と作動部材１０が互いに一体に取付けられている。嵌合凸部１０ｇにより、作動部材１０に対する操作部材９の下降が阻止され、外筒２の下端面、嵌合凸部１０ｇの下端面及び下部周壁１０ｃの下端面の少なくとも１つにより、作動部材１０に対する操作部材９の上昇が阻止される。また、８つの回止めリブ１０ｈにより、作動部材１０に対する操作部材９の繰出し方向及び引込み方向の回転が阻止される。なお、回止めリブ１０ｈの個数は適宜変更が可能である。
【００２４】
図５（ａ）、（ｂ）に示すように、軸部材１２は、回転軸線Ｃを挟んだ２箇所にそれぞれ径方向外側に突出する板状の突出部１８を有する回転軸線Ｃを中心とする円筒状をなしている。軸部材１２は、上部周壁１０ａの上端面に当接可能な下端面を形成するように外周面が拡径した拡径部１２ａを有している。拡径部１２ａの外周面には、２つの突出部１８が一体に設けられている。２つの突出部１８の下端面は拡径部１２ａの外周面と面一になっている。軸部材１２の外周面における拡径部１２ａよりも下方の部分は、第２雄ねじ１６ｂから構成されている。軸部材１２の外周面における上端には、拡径部１２ａの上端面との間に周溝１２ｂを形成するように径方向外側に突出するとともに周方向に延在する環状凸部１２ｃが一体に設けられている。図１に示すように、２つの突出部１８はそれぞれ、内筒４のスリット１９を通り、外筒２の縦溝１７の内部まで延在している。軸部材１２は、２つの縦溝１７と２つの突出部１８の係合により、外筒２に対する回転が阻止された状態で外筒２に対する昇降が許容される。また、内筒４は、２つの縦溝１７と係合する２つの突出部１８と２つのスリット１９の係合により、外筒２に対する回転が阻止された状態で外筒２に対する昇降が許容される。
【００２５】
図１に示すように、中皿１１は、回転軸線Ｃと同心の円板状の底壁１１ａと、底壁１１ａの下面から下方に延在するとともに回転軸線Ｃと同心の円筒状をなす下筒１１ｂと、底壁１１ａの外周縁から上方に延在する円筒状をなす筒壁１１ｃとを有している。下筒１１ｂの内周面に形成された凹部に軸部材１２の環状凸部１２ｃが係合することで、軸部材１２と中皿１１が互いに取付けられている。環状凸部１２ｃにより、軸部材１２に対する中皿１１の上昇が阻止され、底壁１１ａの下面と拡径部１２ａの上面の少なくとも１つにより、軸部材１２に対する中皿１１の下降が阻止される。軸部材１２に対する中皿１１の回転を阻止する構成は特段設けていないが、そのような構成を設けても構わない。筒壁１１ｃの上端には、回転軸線Ｃと同心の円柱状をなす固形内容物７の下部における外周面に喰い込むことで固形内容物７の下部を保持する保持爪１１ｄが一体に設けられている。固形内容物７の外周面は筒壁１１ｃの内周面に接している。固形内容物７の下面は底壁１１ａの上面に接している。
【００２６】
固形内容物７としては、例えば口紅、リップクリーム、スティックアイシャドー等の化粧料、薬剤または糊など、塗布対象物に塗布可能な種々のものを採用することができる。本実施の形態では、固形内容物７は、口紅である。
【００２７】
図１及び図６に示すように、付勢部材６は、作動部材１０に回転可能に保持される回転軸線Ｃと同心の円筒状の下部保持筒６ａと、内筒４に回転可能に保持される保持される回転軸線Ｃと同心の円筒状の上部保持筒６ｂと、下部保持筒６ａと上部保持筒６ｂを一体に連結するとともに上下方向に弾性的に伸縮可能なコイル状のばね６ｃとを有している。
【００２８】
下部保持筒６ａには、径方向内側及び下方に突出する４つの下部係合凸部６ｄが一体に設けられている。４つの下部係合凸部６ｄはそれぞれ、ばね６ｃが自然長よりも伸長したときに作動部材１０の周溝１０ｄの上部側面に係止される一方、ばね６ｃが自然長よりも収縮したときに作動部材１０の周溝１０ｄの下部側面に係止される。上部保持筒６ｂには、径方向内側に突出する４つの上部係合凸部６ｅが一体に設けられている。４つの上部係合凸部６ｅはそれぞれ、ばね６ｃが自然長よりも伸長したときに内筒４の周溝４ａの下部側面に係止される。ばね６ｃが自然長よりも収縮したときに内筒４の周溝４ａの上部側面には、上部保持筒６ｂの上端面が係止される。４つの下部係合凸部６ｄと４つの上部係合凸部６ｅはそれぞれ、周方向に等しい間隔を空けて並べて設けられている。下部保持筒６ａは、径方向内側及び下方に突出する４つの下部係合凸部６ｄを介して作動部材１０の周溝１０ｄと係合することで、下部保持筒６ａに対する作動部材１０のスムーズな回転を許容することができる。また、上部保持筒６ｂは、径方向内側に突出する４つの上部係合凸部６ｅと上部保持筒６ｂの上端面を介して内筒４の周溝４ａと係合することで、内筒４に対する上部保持筒６ｂの回転を許容することができる。なお、下部係合凸部６ｄと上部係合凸部６ｅの個数、配置及び形状は適宜変更が可能である。
【００２９】
なお、下部保持筒６ａを作動部材１０に保持するための構成は、４つの下部係合凸部６ｄと周溝１０ｄを用いるものに限らず、種々のアンダーカット形状を用いるものを採用することができる。上部係合凸部６ｅを内筒４に保持するための構成は、４つの上部係合凸部６ｅと周溝４ａを用いるものに限らず、種々のアンダーカット形状を用いるものを採用することができる。また、本実施形態では、下部保持筒６ａが作動部材１０に回転可能に保持されるとともに上部保持筒６ｂが内筒４に回転可能に保持される構成とされているが、これに限らず、例えば、下部保持筒６ａが作動部材１０に回転可能に保持されるとともに上部保持筒６ｂが内筒４に回転不能に保持される構成としてもよいし、下部保持筒６ａが作動部材１０に回転不能に保持されるとともに上部保持筒６ｂが内筒４に回転可能に保持される構成としても構わない。
【００３０】
ばね６ｃは２条のコイル状をなしているが、１条または３条以上のコイル状をなす構成としてもよい。また、ばね６ｃはコイル状に限らず、上下方向に弾性的に伸縮可能な種々の形状のものを採用可能である。
【００３１】
付勢部材６は、内筒ねじ結合部１４において下方に螺脱した内筒４を上方に付勢するとともに内筒ねじ結合部１４において上方に螺脱した内筒４を下方に付勢するように構成されている。したがって、操作部２０に対する繰出し方向の回転操作によって螺脱した内筒ねじ結合部１４を、操作部２０に対する引込み方向の回転操作がされたときに、付勢部材６の付勢力によって容易に螺合させることができるとともに、操作部２０に対する引込み方向の回転操作によって螺脱した内筒ねじ結合部１４を、操作部２０に対する繰出し方向の回転操作がされたときに、付勢部材６の付勢力によって容易に螺合させることができる。なお、付勢部材６は、このような構成に限らず、例えば、内筒ねじ結合部１４において下方に螺脱した内筒４には係合して内筒４を上方に付勢するが、内筒ねじ結合部１４において上方に螺脱した内筒４とは係合しない構成としても構わない。このような構成とした場合には、操作部２０に対する引込み方向の回転操作によって螺脱した内筒ねじ結合部１４を、操作部２０に対する繰出し方向の回転操作がされたときに、内筒４を下降させる重力によって螺合させることができる。また、付勢部材６は、内筒ねじ結合部１４において上方に螺脱した内筒４を下方に付勢するときの状態において、付勢部材６の外周面における上下方向に亘る部分全体が、外筒２の拡径内周面２ｃに沿うように配置されている。
【００３２】
図１に示すように、キャップ８は有頂円筒状をなしており、外筒２の縮径部２ａに取外し可能に取付けられることで、固形内容物７及び内筒４を覆っている。
【００３３】
外筒２、操作部材９、作動部材１０、内筒４、中皿１１、軸部材１２、付勢部材６及びキャップ８はそれぞれ、合成樹脂製であるが、これに限らず種々の材質を採用可能である。
【００３４】
上記のように構成された繰出し容器１は、例えば次のように使用することができる。使用に際し、使用者はまず、図１に示す使用前の状態からキャップ８を取外す。そして、使用者が図７に示すように回転部３の操作部２０を繰出し方向に回転操作すると、まず、内筒ねじ結合部１４と内筒案内部１３を介して内筒４が外筒２に対して下降するとともに、保持部ねじ結合部１６と保持部案内部１５を介して保持部５が外筒２に対して上昇する。この内筒４の下降と保持部５の上昇により、固形内容物７を内筒４の内部から少ない回転操作で繰出すことができる。そして、繰出し方向の回転操作を続けると、図８に示すように、内筒４が内筒ねじ結合部１４において下方に螺脱して空回りすることで外筒２に対する内筒４の下降が止まる一方、保持部５は保持部ねじ結合部１６において螺合が維持されることで外筒２に対して上昇し続ける。このように、内筒４の下降が止まった状態で保持部５が上昇することにより、固形内容物７の繰出し量を細かく調整することができる。
【００３５】
また、固形内容物７を繰出し、固形内容物７を使用、すなわち塗布対象物に塗布した後は、回転部３の操作部２０を引込み方向に回転操作することで、図９に示すように、付勢部材６の付勢力によって内筒ねじ結合部１４が再び螺合する。そして、引込方向の回転操作を続けることで、内筒ねじ結合部１４と内筒案内部１３を介して内筒４が外筒２に対して上昇するとともに、保持部ねじ結合部１６と保持部案内部１５を介して保持部５が外筒２に対して下降する。この内筒４の上昇と保持部５の下降により、固形内容物７を内筒４の内部に向けて少ない回転操作で引込むことができる。そして、さらに引込方向の回転操作を続けると、図１０に示すように、内筒４が内筒ねじ結合部１４において上方に螺脱して空回りすることで外筒２に対する内筒４の上昇が止まる一方、保持部５は保持部ねじ結合部１６において螺合が維持されることで外筒２に対して下降し続ける。
【００３６】
したがって、繰出し容器１によれば、使用前後の回転操作量を抑えつつ繰出し量を細かく調整することができる。特に、本実施の形態では、内筒ねじ結合部１４のリードが保持部ねじ結合部１６のリードよりも大きく構成されているので、所定の回転操作量に対する内筒４の移動量を保持部５の移動量よりも大きくすることができるため、より効果的に、使用前後の回転操作量を抑えつつ繰出し量を細かく調整することができる。
【００３７】
本発明は前記実施の形態に限定されるものではなく、その要旨を逸脱しない範囲で種々変更可能であることはいうまでもない。
【００３８】
例えば、前記の実施形態では、縦溝１７、突出部１８及びスリット１９を２つずつ設けているが、縦溝１７、突出部１８及びスリット１９の個数はこれに限らず、１つずつまたは３つずつ以上としてもよい。また、保持部案内部１５は縦溝１７と突出部１８で構成されるものに限らず、種々の構成を採用可能である。さらに、内筒案内部１３は縦溝１７、突出部１８及びスリット１９で構成されるものに限らず、種々の構成を採用可能である。
【符号の説明】
【００３９】
１    繰出し容器
２    外筒
２ａ  縮径部
２ｂ  内向き凸部
２ｃ  拡径内周面
３    回転部
４    内筒
４ａ  周溝
４ｂ  縮径外周面
５    保持部
６    付勢部材（付勢部）
６ａ  下部保持筒
６ｂ  上部保持筒
６ｃ  ばね
６ｄ  下部係合凸部
６ｅ  上部係合凸部
７    固形内容物
８    キャップ
９    操作部材
１０    作動部材
１０ａ  上部周壁
１０ｂ  段差部
１０ｃ  下部周壁
１０ｄ  周溝
１０ｅ  環状凸部
１０ｆ  係合溝
１０ｇ  嵌合凸部
１０ｈ  回止めリブ
１１    中皿
１１ａ  底壁
１１ｂ  下筒
１１ｃ  筒壁
１１ｄ  保持爪
１２    軸部材
１２ａ  拡径部
１２ｂ  周溝
１２ｃ  環状凸部
１３    内筒案内部
１４    内筒ねじ結合部
１４ａ  第１雄ねじ
１４ｂ  第１雌ねじ
１５    保持部案内部
１６    保持部ねじ結合部
１６ａ  第２雌ねじ
１６ｂ  第２雄ねじ
１７    縦溝
１８    突出部
１９    スリット
２０    操作部
Ｃ    回転軸線
【図１】
2020192167.tif 000003
【図２】
2020192167.tif 000004
【図３】
2020192167.tif 000005
【図４】
2020192167.tif 000006
【図５】
2020192167.tif 000007
【図６】
2020192167.tif 000008
【図７】
2020192167.tif 000009
【図８】
2020192167.tif 000010
【図９】
2020192167.tif 000011
【図１０】
2020192167.tif 000012